(57)【要約】  敷地建物内を守るセキュリティシステムのコントロールパネルと車両との間の通信を可能にするWi-Fi技術を使用する、敷地建物内・自宅‐車両間Wi-Fi（ワイヤレス・フィデリティ）テレマティックスインターフェースシステムを提供する。車両は、Wi-Fiデータ通信を可能にするWi-Fiトランシーバ及びプロセッサと、車両のダッシュボードディスプレイに好ましくは一体化されるモニタ／ディスプレイとを搭載する。本発明によると、例えば住宅所有者がセキュリティシステムによって保護された住宅に入る前などに、住宅や企業のセキュリティシステムの状況を車両から監視して更新することが可能であり、またセキュリティシステムにより車両の状況及び制御機能を監視することができる。
2008507764.tif 000002
【特許請求の範囲】
【請求項１】
セキュリティ/アラームイベントを検出するコントロールパネルとセキュリティセンサーとを含む敷地建物内用のセキュリティシステム、
前記セキュリティシステムの状況についてのWi-Fi伝送データを受信して表示できるWi-Fiトランシーバ、プロセッサ及びビデオディスプレイを含む車両、及び
前記セキュリティシステムと前記車両との間のWi-Fi伝送データ用伝送リンクを提供するWi-Fiベースステーションを含む、前記セキュリティシステムと前記車両との間のインターフェースを含むことを特徴とする敷地建物内‐車両間Wi-Fiインターフェース。
【請求項２】
前記ビデオディスプレイが、前記車両のダッシュボードディスプレイに一体化されることを特徴とする請求項１記載の敷地建物内‐車両間Wi-Fiインターフェース。
【請求項３】
前記ビデオディスプレイが、スタンドアロン型ディスプレイであることを特徴とする請求項１記載の敷地建物内‐車両間Wi-Fiインターフェース。
【請求項４】
前記ビデオディスプレイが、ポータブルディスプレイユニットであることを特徴とする請求項１記載の敷地建物内‐車両間Wi-Fiインターフェース。
【請求項５】
前記セキュリティシステムがビデオフレームを撮る少なくとも1つのセキュリティビデオカメラを含み、前記ビデオディスプレイが前記少なくとも1つのセキュリティビデオカメラによって撮られたビデオフレームを表示することを特徴とする請求項１記載の敷地建物内‐車両間Wi-Fiインターフェース。
【請求項６】
前記インターフェースにより、住宅所有者が前記セキュリティシステムによって保護された住宅に入る前などに、前記セキュリティシステムの状況をWi-Fi伝送データにより前記車両から監視することができることを特徴とする請求項１記載の敷地建物内‐車両間Wi-Fiインターフェース。
【請求項７】
前記インターフェースにより、前記セキュリティシステムをWi-Fi伝送データにより前記車両から制御することができることを特徴とする請求項１記載の敷地建物内‐車両間Wi-Fiインターフェース。
【請求項８】
前記インターフェースにより、前記セキュリティシステムがWi-Fi伝送データを使用することにより前記車両の状況を監視することができることを特徴とする請求項１記載の敷地建物内‐車両間Wi-Fiインターフェース。
【請求項９】
前記インターフェースにより、前記セキュリティシステムがWi-Fi伝送データを使用することにより前記車両の機能を制御することができることを特徴とする請求項１記載の敷地建物内‐車両間Wi-Fiインターフェース。
【請求項１０】
前記インターフェースにより、前記車両と、セキュリティとHVAC（暖房・換気・空調）のシステムとの間でWi-Fi伝送データ通信できることを特徴とする請求項１記載の敷地建物内‐車両間Wi-Fiインターフェース。
【請求項１１】
前記車両の前記プロセッサが前記車両の状況を監視するセンサーに接続された車両通信バスに接続され、前記インターフェースにより前記車両の状況を前記セキュリティシステムのディスプレイ上に表示できることを特徴とする請求項１記載の敷地建物内‐車両間Wi-Fiインターフェース。
【請求項１２】
前記セキュリティシステムの前記コントロールパネルがイーサネット或いは同様のプロトコルを介してネットワークに接続され、ユーザインターフェースが前記車両を、局所的に表示される異なったゾーン・タイプのパーティションとして扱うことを特徴とする請求項１記載の敷地建物内‐車両間Wi-Fiインターフェース。
【請求項１３】
前記Wi-Fi伝送データの伝送は、認可された受信機のみが暗号化されたデータ伝送を受信して復号することができるような暗号化されたデータ伝送であることを特徴とする請求項１記載の敷地建物内‐車両間Wi-Fiインターフェース。
【請求項１４】
セキュリティ/アラームイベントを検出するコントロールパネルとセキュリティセンサーとを含む敷地建物内用のセキュリティシステムを提供する工程、
前記セキュリティシステムの状況についてのWi-Fi伝送データを受信して表示できるWi-Fiトランシーバ、プロセッサ及びビデオディスプレイを有する車両を提供する工程、及び
前記セキュリティシステムと前記車両との間のWi-Fi伝送データ用伝送リンクを提供するWi-Fiベースステーションを含む、前記セキュリティシステムと前記車両との間のWi-Fiインターフェースを提供する工程を含むことを特徴とする敷地建物内‐車両間Wi-Fiインターフェースを提供する方法。
【請求項１５】
前記ビデオディスプレイを、前記車両のダッシュボードディスプレイに一体化することを含むことを特徴とする請求項１４記載の敷地建物内‐車両間Wi-Fiインターフェースを提供する方法。
【請求項１６】
前記ビデオディスプレイを、スタンドアロン型ディスプレイとして提供することを含むことを特徴とする請求項１４記載の敷地建物内‐車両間Wi-Fiインターフェースを提供する方法。
【請求項１７】
前記ビデオディスプレイを、ポータブルディスプレイユニットとして提供することを含むことを特徴とする請求項１４記載の敷地建物内‐車両間Wi-Fiインターフェースを提供する方法。
【請求項１８】
ビデオフレームを撮る少なくとも1つのセキュリティビデオカメラを有する前記セキュリティシステムと、前記少なくとも1つのセキュリティビデオカメラによって撮られたビデオフレームを表示する前記ビデオディスプレイとを提供することを含むことを特徴とする請求項１４記載の敷地建物内‐車両間Wi-Fiインターフェースを提供する方法。
【請求項１９】
住宅所有者が前記セキュリティシステムによって保護された住宅に入る前などに、前記セキュリティシステムの状況をWi-Fi伝送データにより前記車両から監視することを含むことを特徴とする請求項１４記載の敷地建物内‐車両間Wi-Fiインターフェースを提供する方法。
【請求項２０】
前記セキュリティシステムをWi-Fi伝送データにより前記車両から制御することを含むことを特徴とする請求項１４記載の敷地建物内‐車両間Wi-Fiインターフェースを提供する方法。
【請求項２１】
Wi-Fi伝送データを使用することにより前記車両の状況を監視する前記セキュリティシステムを含むことを特徴とする請求項１４記載の敷地建物内‐車両間Wi-Fiインターフェースを提供する方法。
【請求項２２】
Wi-Fi伝送データを使用することにより前記車両の機能を制御する前記セキュリティシステムを含むことを特徴とする請求項１４記載の敷地建物内‐車両間Wi-Fiインターフェースを提供する方法。
【請求項２３】
前記車両と、セキュリティとHVAC（暖房・換気・空調）のシステムとの間でWi-Fi伝送データ通信を伝送することを含むことを特徴とする請求項１４記載の敷地建物内‐車両間Wi-Fiインターフェースを提供する方法。
【請求項２４】
前記車両の前記プロセッサを、前記車両の状況を監視するセンサーに接続された車両通信バスに接続し、前記車両の状況を前記セキュリティシステムのディスプレイ上に表示することを含むことを特徴とする請求項１４記載の敷地建物内‐車両間Wi-Fiインターフェースを提供する方法。
【請求項２５】
前記セキュリティシステムの前記コントロールパネルをイーサネット或いは同様のプロトコルを介してネットワークに接続し、前記車両を、局所的に表示される異なったゾーン・タイプのパーティションとして扱うことを含むことを特徴とする請求項１４記載の敷地建物内‐車両間Wi-Fiインターフェースを提供する方法。
【請求項２６】
前記Wi-Fi伝送データの伝送を、認可された受信機のみが暗号化されたデータ伝送を受信して復号することができるように暗号化することを含むことを特徴とする請求項１４記載の敷地建物内‐車両間Wi-Fiインターフェースを提供する方法。
【発明の詳細な説明】
【技術分野】
【０００１】
本発明は、敷地建物内を守るセキュリティシステムと車両との間の通信を可能にするWi-Fi技術を使用する、敷地建物内・自宅‐車両間Wi-Fi（ワイヤレス・フィデリティ）テレマティックスインターフェースのシステム及び方法に関する。車両は、Wi-Fiデータ通信を可能にするWi-Fiトランシーバ及びプロセッサと、車両のダッシュボードディスプレイに好ましくは一体化されるモニタ／ディスプレイとを搭載する。
【背景技術】
【０００２】
セキュリティシステムの設置には、侵入者の存在を検知するために、保護された空間の外周の至る所及び周囲に、ビデオカメラ及び侵入センサーや行動探知器のようなセキュリティモニタリングセンサーを配置することが多い。セキュリティシステム及びビデオカメラの記録の状況は、例えばセキュリティコンソールやビデオディスプレイ上で、保護された空間内の再調査に利用できることが多い。通常は、遠い場所にあるセントラルセキュリティステーションもまた、電話線及び／又はケーブルネットワーク及び／又はインターネット接続及び／又は無線周波数リンク上の通信によって完全なセキュリティシステム及びカメラの記録の状況を再調査することができる。
【発明の開示】
【発明が解決しようとする課題】
【０００３】
しかしながら、住宅と営業用不動産のための多くの現在のセキュリティシステムでは、状況とビデオ記録が単に敷地建物内の中で見るために利用可能であるために敷地建物内に入る人或いは住宅所有者が、敷地建物内に入る前に完全なセキュリティシステムの状況を再調査したりビデオカメラの記録を見たりすることができない。この制限のために、敷地建物内に入る人は、セキュリティシステムが住居侵入の人に何ら事前警告を与えることなしに保護された敷地建物内でうっかり住居侵入を続けることが出来てしまう。
【課題を解決するための手段】
【０００４】
本発明は、敷地建物内を守るセキュリティシステムのコントロールパネルと車両との間の通信を可能にするWi-Fi技術を使用する、敷地建物内・自宅‐車両間Wi-Fiテレマティックスインターフェースシステムを提供する。車両は、Wi-Fiデータ通信を可能にするWi-Fiトランシーバ及びプロセッサと、車両のダッシュボードディスプレイに好ましくは一体化されるモニタ／ディスプレイとを搭載する。
【０００５】
本発明によると、例えば住宅所有者がセキュリティシステムによって保護された住宅に入る前などに、住宅や企業のセキュリティシステムの状況を車両から監視して更新することが可能であり、またセキュリティシステムにより車両の状況を監視することができる。
【０００６】
本発明は、住宅或いは商業用建物のような敷地建物内のセキュリティシステムと、Wi-Fiトランシーバ、プロセッサ及びモニタ／ディスプレイを有する自動車、SUV(スポーツ汎用車)或いは商用ヴァン或いはトラックのような車両との間のWi-Fi通信を提供するインターフェースシステム及びインターフェース方法を提供する。
【発明を実施するための最良の形態】
【０００７】
Wi-Fi（ワイヤレス・フィデリティ）は、空港、ホテル、コーヒーショップなどのようなWi-Fiアクセスを搭載した車両、自宅、オフィス、或いは他の公共エリアのような任意のWi-Fi対応場所からデータ通信を可能にする。Wi-Fiは、ワイヤレス技術を使用してWi-Fi対応のコンピュータとプロセッサとにベースステーションの範囲内で何処ででもデータの送受信を可能にさせる。
【０００８】
Wi-Fiセル方式技術は、人が企業ネットワークからファイル或いはプレゼンテーションを検索したり、電子メールを送信或いは検索したり、インターネットをしたりすることのようなコンピュータタスクを、車両、部屋或いは会社会議室のような任意のWi-Fi対応場所から実行できるラップトップ或いはポータブルのコンピュータ或いはプロセッサ上でのデータ通信を可能にする。
【０００９】
自動車/車両モデルイヤー2007中に、Wi-Fiアクセス能力を搭載した最初の車両が市販されるであろう。車両のWi-Fiの一使用は、オーディオジュークボックスが車両のインダッシュエンターテイメントシステムに取って代わるかインダッシュエンターテイメントシステムを拡張させることができることである。よって、車は、Wi-Fiによって自宅のPCからMP3音楽ファイルをダウンロードできるように接続され得る。
【００１０】
本発明は、車両と自宅或いは企業用のセキュリティ及び／又はHVAC（暖房・換気・空調）システムとの間の通信を可能にする車両のWi-Fiアクセスを使用する。本発明は、敷地建物内用セキュリティシステムの現在の状況を人が敷地建物内に入る前に表示するWi-Fi対応車両を使用し、真のセキュリティ利益を提供することができる。
【００１１】
本発明はまた、住宅の敷地建物内或いは営利事業の敷地建物内用のセキュリティシステムが車両の状況を監視して車両の幾つかの機能を制御することを可能にする車両のWi-Fiアクセスを使用することができる。例えば、タイヤ圧力、燃料レベルなどや警告を住宅所有者に、住宅所有者が自宅を出る前に示すことができる。また、車両及び外部温度を、車両のセンサーを使用して監視することができる。ロックなどは遠隔制御することができる。
【００１２】
図1は、住宅或いは商用の敷地建物内10のような保護された空間のための典型的なセキュリティシステムを示す。このセキュリティシステムは、典型的に、セキュリティ警報システムによって保護された敷地建物内への丁度正面入口の中のような中央アクセス可能な場所に設けられるセキュリティシステムコントロールパネル12を含む。コントロールパネル12は、人や住宅所有者に、セキュリティシステムの適切なパラメータ及び条件を表示するディスプレイのようなセキュリティシステムの完全な状況についての情報を表示するディスプレイ14を提供し、またセキュリティシステムビデオカメラ16によって提供されるビデオ映像を表示するディスプレイも提供し得る。
【００１３】
コントロールパネルはまた、人が、適切なセキュリティコード及び特定のコマンドを入力することによって、例えばセキュリティシステムのセキュリティを作動したり解除したりするように、セキュリティシステムの動作を制御するようにできる。コントロールパネルは、典型的に、ユーザが、セキュリティ警報システムの状況を見るように、またデータをセキュリティシステムに入力してアクセスしセキュリティシステムを制御するようにできるGUI（グラフィカル・ユーザ・インターフェース）ディスプレイ14を含む。セキュリティシステムは、センサーとコントロールパネル間通信の多くがトランシーバ18とアンテナ20とによる（1マイルまでの）短い範囲のRF通信伝送によるワイヤレスシステムでよいであろう。
【００１４】
典型的な住宅或いは商用のセキュリティシステムはまた、如何なる侵入も検知するようにドアと窓に取り付けられた複数の侵入セキュリティセンサー22、及び人の存在を検知するように敷地建物内の最も効果的な場所に取り付けられてセキュリティシステム配線によってセキュリティシステムコントロールパネルに接続された行動/占有センサー24を含む。典型的なセキュリティシステムはまた、敷地建物内のCO、煙及び火災の条件のうちの何れも検知するように敷地建物内の最も効果的な場所に取り付けられてセキュリティシステム配線によってセキュリティシステムコントロールパネルに接続された1つ以上のCOセンサー26及び煙或いは火災センサー28を含んでもよいであろう。セキュリティシステムコントロールパネルは、セキュリティシステムセンサー及びビデオカメラからの信号を監視してセキュリティシステムの状況を決定する。
【００１５】
典型的な住宅或いは商用のセキュリティシステムはまた、番号32で概略的に示すように、電話線及び／又はケーブルシステム及び／又はインターネット及び／又は無線周波数リンク上で双方向データ通信を可能にするモデム30及び電話線又はケーブル接続を含んでもよいであろう。セキュリティシステムコントロールパネルは、Wi-Fi伝送データを直接に送受信するWi-Fiトランシーバ34及びアンテナによるダイレクトWi-Fiアクセスを含んでいてもいなくてもよいであろう。
【００１６】
図2は、Wi-Fi伝送データを送受信するWi-Fiトランシーバ42及びアンテナ44によってWi-Fiアクセスが提供される自動車、SUV、ヴァン或いはトラックのような車両40を示す。Wi-Fiは、Wi-Fi対応のコンピュータ及びプロセッサがベーストランシーバステーション46（一つを概略的に示す）の範囲内で何処ででもデータを送受信するようにできるワイヤレス技術である。車両40は、Wi-Fiトランシーバ42及びアンテナ44によってWi-Fiデータ通信を可能にするWi-Fi対応プロセッサ48と、車両のダッシュボードディスプレイに好ましくは一体化されるモニタ／ディスプレイ50とを搭載する。
【００１７】
車両40とベースステーション46の間の双方向Wi-Fi伝送データは、制御・プログラムされたインターフェース54に通す。インターフェース54は、伝送データをセキュリティシステムコントロールパネル12に、インターネット接続56上、或いは電話線58上、或いはケーブル接続60上、或いは所有者のデータバス62上のような任意の利用可能な共通のデータ伝送路上で、或いはそれらを組み合わせたもの上で送り、セキュリティシステムコントロールパネル12にアクセスしてセキュリティシステムコントロールパネル12を制御する。
【００１８】
本発明の一実施の形態では、プロセッサは、プロセッサが車両の状況を監視し、また車両の幾つかの機能を制御するようにできる車両制御バス（例えばCANバス或いは他の業界標準車両バス）52に結合される。例として、この特徴によって人は、セキュリティシステムのディスプレイ14上に車両の安全状況（例えばタイヤ圧力）を表示したり、人が車両に入り運転する前に車両エンジンを開始することのような機能制御を行ったり出来得る。
【００１９】
車両のWi-Fi対応トランシーバは、車両がWi-Fi伝送データを送受信して車両の中の住宅所有者がセキュリティシステムの状況を再調査し、またセキュリティシステムビデオカメラによって提供されるビデオ映像を再調査して、セキュリティシステムにより保護された敷地建物内に入ることが安全かどうか実際に入る前に決めるようにできる。
【００２０】
更に、自宅或いは企業の敷地建物内セキュリティシステム用の将来のコントロールパネルは、イーサネット（登録商標）或いは同様のプロトコルを介して自宅或いは企業のネットワークに接続されるであろう。そのようなネットワークに接続されたシステムにより、自宅セキュリティシステムのユーザインターフェースは、車両を、局所的に表示される様々な「ゾーン・タイプ」のパーティションとして扱うことができる。
【００２１】
違う実施の形態では、ビデオディスプレイ50は、セキュリティシステムの状況と、また恐らくセキュリティシステムビデオカメラによって提供されるビデオ映像とを表示するために、車両のダッシュボード上のディスプレイに一体化され得るし、或いはスタンドアロンのディスプレイになり得るし、或いはPDA（パーソナル・デジタル・アシスタント）のようなポータブルディスプレイユニットになり得る。これにより、人或いは住宅所有者は、敷地建物内に入る前に入っても安全かどうかを決めるために、セキュリティシステムの状況と、また恐らくセキュリティシステムビデオカメラによって撮影されたビデオ映像とを再調査することができる。
【００２２】
加えて、Wi-Fi対応のプロセッサとディスプレイは、セキュリティシステムで保護された所有地に入るとき或いは該所有地を出るとき暗い視界のエリアを見るために使用することができる。例えば、セキュリティビデオカメラは車道及び隣接した通り及び歩道の表示を提供するように配置してよい。車道を出る前に、住宅所有者或いは人は、ビデオモニタ或いはディスプレイ上で車道及び隣接した通り及び歩道の表示を見ることができ、それにより歩行者或いは対向車について起こり得る問題に対して運転者の注意を喚起する。
【００２３】
更に、Wi-Fi伝送は、認可された受信機のみが情報を復号することができるように暗号化され得る。更に、Wi-Fi伝送は、特定のユーザのみが特定の送信を受信できるようにパーソナルIDで暗号化され得る。同じ或いは異なるパーソナルIDを有する幾つかの異なる車両或いは人が、Wi-Fi対応のプロセッサ及びビデオディスプレイを有することができる。
【００２４】
本発明は、セキュリティシステムのより包括的な制御を提供することができ、
Wi-Fi対応のプロセッサとビデオディスプレイを、セキュリティパネルにデータコマンドを伝送するために利用でき、例えばセキュリティシステム、或いは該システムの特定のゾーンを作動したり解除したりする作動コマンド或いは解除コマンドを伝送するために、或いは選択されたライトを点けたり消したりするために、或いはガレージのドアを開けたり閉めたりするために利用できる。
【００２５】
また、Wi-Fi伝送されるコマンドは、例えばセキュリティシステムコントロールパネルによる他のデータ及びメッセージ、例えば電子メールの送信の必要があるために、セキュリティシステムに幾分かは無関係にでき、典型的にインターネット及び電話或いはケーブルによるアクセスを有するコントロールパネルは要求されたデータの送信の必要に対応するであろう。また、Wi-Fi伝送されるコマンドは、例えばセキュリティシステムコントロールパネルによる温度又はサーモスタット温度の設定のようなHVAC関連データ及びメッセージの送信の必要があるため、より一体化されたセキュリティとHVAC（暖房・換気・空調）とのシステムの機能に関係し得る。Wi-Fi伝送されるコマンドはまた、HVACシステムの設定を変更することのようにHVACシステムを制御でき、コントロールパネルは敷地建物内でデータ網に接続されたHVAC機器に適切なコマンドを送信することにより必要に対応するであろう。
【００２６】
敷地建物内‐車両間Wi-Fiテレメトリーインターフェースのための本発明の幾つかの実施の形態及び変形例を詳細に上述したが、本発明の開示及び教示が当業者に多くの代替設計を示唆するであろうことは明らかである。
【図面の簡単な説明】
【００２７】
【図１】図1は、典型的に、住宅用敷地建物内への丁度正面入口の中のような中央アクセス可能な場所に設けられるセキュリティシステムコントロールパネル、セキュリティセンサー及びセキュリティビデオカメラを含む住宅或いは商用の敷地建物内のセキュリティシステムを示す。
【図２】図2は、Wi-Fi伝送データを送受信するWi-Fiトランシーバとアンテナ、Wi-Fiデータ通信を制御するプロセッサ、及び車両のダッシュボードディスプレイに好ましくは一体化されるビデオディスプレイを含む、Wi-Fiアクセスが提供される車両上の機器を示す。
【図１】
2008507764.tif 000003
【図２】
2008507764.tif 000004
【国際調査報告】
2008507764.tif 000005
2008507764.tif 000006